(57)【要約】【課題】  ２焦点制御におけるセット位置を切り換えるための基準点の調整を簡易に行うことのできるカメラを提供することを目的とする。【解決手段】  測距部により出力されたＡＦ信号と基準値とを比較した結果に基づいて、撮影レンズ８を遠距離側または近距離側のいずれかの合焦位置に移動させる。この基準値は、撮影レンズが遠距離側に移動された場合と撮影レンズ８が近距離側に移動された場合とにおける錯乱円の大きさが同じとなる距離に相当するＡＦ信号に基づいた数値としている。そして、ＡＦ信号に基づいた数値は、錯乱円が同じとなる距離に被写体（テストチャート）を配置したときに測距部により出力されたＡＦ信号に基づいて生成されたものである。【選択図】  図２
2006106044.tif 000002
【特許請求の範囲】
【請求項１】
被写体までの距離に応じた測距信号を出力する測距手段と、
前記測距手段により出力された測距信号と予め定められた基準値とを比較した結果に基づいて、撮影レンズを遠距離側または近距離側のいずれかの合焦位置に移動させる焦点制御手段と、を備え、
前記基準値は、前記撮影レンズが遠距離側に移動された場合の錯乱円を最小とする被写体までの第１の距離と前記撮影レンズが近距離側に移動された場合の錯乱円を最小とする被写体までの第２の距離との間の距離であって、前記撮影レンズが前記遠距離側に移動された場合と前記撮影レンズが前記近距離側に移動された場合とにおける錯乱円の大きさが同じとなる第３の距離に相当する測距信号に基づいた数値とし、
前記測距信号に基づいた数値は、前記第３の距離に被写体を配置したときに前記測距手段により出力された測距信号に基づいて生成されたこと、
を特徴とするカメラ。
【請求項２】
撮影レンズのうち被写体像を拡大または縮小するために使用されるズームレンズを被写体像の拡大率に応じて定められたズーム位置に移動させるズーム手段と、
被写体までの距離に応じた測距信号を出力する測距手段と、
前記測距手段により出力された測距信号と前記撮影レンズのズーム位置に対応した基準値とを比較した結果に基づいて、前記撮影レンズを遠距離側または近距離側のいずれかの合焦位置に移動させる焦点制御手段と、
前記ズーム手段により測距信号の精度が最も要求される第１のズーム位置に前記ズームレンズを移動させて、予め定められた距離に配置された被写体に基づいて複数の測距信号を取得する取得手段と、
前記取得手段により取得された測距信号の平均値を算出する算出手段と、
前記算出手段により算出された平均値を前記第１のズーム位置に対応する基準値として設定するとともに、他のズーム位置に応じた設計上得られたそれぞれの加算値を前記平均値に加算し、加算して得られた数値を、前記他のズーム位置に対応した基準値として設定する設定手段と、を備え、
前記予め定められた距離は、前記第１のズーム位置に前記ズームレンズがあった場合における、前記撮影レンズが遠距離側に移動された場合の錯乱円を最小とする被写体までの第１の距離と前記撮影レンズが近距離側に移動された場合の錯乱円を最小とする被写体までの第２の距離との間の距離であって、前記撮影レンズが前記遠距離側に移動された場合と前記撮影レンズが前記近距離側に移動された場合とにおける錯乱円の大きさが同じとなる第３の距離であり、
前記基準値は、前記第３の距離に相当する測距信号に基づいた数値とすること、
を特徴とするカメラ。
【請求項３】
撮影レンズのうち被写体像を拡大または縮小するために使用されるズームレンズを被写体像の拡大率に応じて定められたズーム位置に移動させるズーム手段と、
被写体までの距離に応じた測距信号を出力する測距手段と、
前記測距手段により出力された測距信号と前記撮影レンズのズーム位置に対応した基準値とを比較した結果に基づいて、前記撮影レンズを遠距離側または近距離側のいずれかの合焦位置に移動させる焦点制御手段と、
前記ズーム手段により測距信号の精度が最も要求される第１のズーム位置に前記ズームレンズを移動させて、予め定められた距離に配置された被写体に基づいて第１の測距信号を複数取得するとともに、前記第１のズーム位置とは別の第２のズーム位置に前記ズームレンズを移動させて、予め定められた距離に配置された被写体に基づいて第２の測距信号を複数取得する取得手段と、
前記取得手段により取得された前記第１の測距信号の第１の平均値および前記第２の測距信号の第２の平均値を算出する算出手段と、
前記算出手段により算出された第１の平均値を前記第１のズーム位置に対応する基準値として設定するとともに、前記第２の平均値を前記第２のズーム位置に対応する基準値として設定し、前記第１の平均値と前記第２の平均値との間の変化量に基づいて他のズーム位置における設計値上の変化量を算出し、それぞれの変化量を前記第１の平均値に加算して他のズーム位置に対応する基準値を設定する設定手段と、を備え、
前記予め定められた距離は、前記ズーム手段によるズーム位置ごとに定められ、前記撮影レンズが遠距離側に移動された場合の錯乱円を最小とする被写体までの第１の距離と前記撮影レンズが近距離側に移動された場合の錯乱円を最小とする被写体までの第２の距離との間の距離であって、前記撮影レンズが前記遠距離側に移動された場合と前記撮影レンズが前記近距離側に移動された場合とにおける錯乱円の大きさが同じとなる第３の距離とし、
前記基準値は、前記第３の距離に相当する測距信号に基づいた数値とすること、
を特徴とするカメラ。
【請求項４】
被写体までの距離に応じた測距信号を出力する測距手段と、前記測距手段により出力された測距信号と基準値とを比較した結果に基づいて、撮影レンズを遠距離側または近距離側のいずれかの合焦位置に移動させる焦点制御手段と、を備えるカメラの調整方法において、
前記測距手段が予め定められた距離に配置された被写体に対する測距信号を出力する出力工程と、
前記出力工程において出力された測距信号に基づいた数値を取得する取得工程と、
前記取得工程により取得された数値を前記基準値として前記カメラに設定する設定工程と、を備え、
前記予め定められた距離は、前記撮影レンズが遠距離側に移動された場合の錯乱円を最小とする被写体までの第１の距離と前記撮影レンズが近距離側に移動された場合の錯乱円を最小とする被写体までの第２の距離との間の距離であって、前記撮影レンズが前記遠距離側に移動された場合と前記撮影レンズが前記近距離側に移動された場合とにおける錯乱円の大きさが同じとなる第３の距離とし、
前記基準値は、前記第３の距離に相当する測距信号に基づいた数値とすること、
を特徴とするカメラの調整方法。
【発明の詳細な説明】
【技術分野】
【０００１】
本発明は、２焦点カメラおよび調整方法に関する。
【背景技術】
【０００２】
従来、測距部で検出した距離に応じてレンズのセット位置を２段階に変更することができるカメラ（いわゆる２焦点カメラ）が、例えば特開昭６０−２４４９１０号公報（特許文献１）に記載のとおり知られている。そして、このカメラにおいては、望遠撮影と広角撮影とを切り換え可能とし、この切り換えに連動して、近距離ゾーンと遠距離ゾーンとを判定するための境界点である基準値を変更するよう構成している。そして、その基準値に基づいてレンズセット位置を切り換えるよう構成している。
【特許文献１】特開昭６０−２４４９１０号公報
【発明の開示】
【発明が解決しようとする課題】
【０００３】
しかしながら、被写体の距離を測定する測距部は、受光素子およびレンズ群などから構成されており、これら受光素子およびレンズ群の取付位置や感度のばらつきにより、製品ごとに測距して得た距離情報は微妙に異なる場合がある。よって、その場合、レンズの２段階切替の基準となる基準値も製品ごとに変える必要がある。特許文献１記載のカメラの構成では、基準値を調整する構成がないことから、この基準値と測距情報と距離との対応関係のばらつきを個別に調整することが困難である。
【０００４】
そこで、本発明は、上述の課題を解決するため、２焦点制御におけるセット位置を切り換えるための基準点の調整を行って、適切な合焦制御を行うことのできるカメラおよび調整方法を提供することを目的とする。
【課題を解決するための手段】
【０００５】
上記課題を解決するため、本発明のカメラは、被写体までの距離に応じた測距信号を出力する測距手段と、前記測距手段により出力された測距信号と予め定められた基準値とを比較した結果に基づいて、撮影レンズを遠距離側または近距離側のいずれかの合焦位置に移動させる焦点制御手段と、を備え、前記基準値は、前記撮影レンズが遠距離側に移動された場合の錯乱円を最小とする被写体までの第１の距離と前記撮影レンズが近距離側に移動された場合の錯乱円を最小とする被写体までの第２の距離との間の距離であって、前記撮影レンズが前記遠距離側に移動された場合と前記撮影レンズが前記近距離側に移動された場合とにおける錯乱円の大きさが同じとなる第３の距離に相当する測距信号に基づいた数値とし、前記測距信号に基づいた数値は、前記第３の距離に被写体を配置したときに前記測距手段により出力された測距信号に基づいて生成された、という構成を備えている。
【０００６】
また、本発明のカメラの調整方法は、被写体までの距離に応じた測距信号を出力する測距手段と、前記測距手段により出力された測距信号と基準値とを比較した結果に基づいて、撮影レンズを遠距離側または近距離側のいずれかの合焦位置に移動させる焦点制御手段と、を備えるカメラの調整方法において、前記測距手段が予め定められた距離に配置された被写体に対する測距信号を出力する出力工程と、前記出力工程において出力された測距信号に基づいた数値を取得する取得工程と、前記取得工程により取得された数値を前記基準値として前記カメラに設定する設定工程と、を備え、前記予め定められた距離は、前記撮影レンズが遠距離側に移動された場合の錯乱円を最小とする被写体までの第１の距離と前記撮影レンズが近距離側に移動された場合の錯乱円を最小とする被写体までの第２の距離との間の距離であって、前記撮影レンズが前記遠距離側に移動された場合と前記撮影レンズが前記近距離側に移動された場合とにおける錯乱円の大きさが同じとなる第３の距離とし、前記基準値は、前記第３の距離に相当する測距信号に基づいた数値する、という構成を備えている。
【０００７】
この発明によれば、前記撮影レンズが遠距離側に移動された場合の錯乱円を最小とする被写体までの第１の距離と前記撮影レンズが近距離側に移動された場合の錯乱円を最小とする被写体までの第２の距離との間の距離であって、前記撮影レンズが前記遠距離側に移動された場合と前記撮影レンズが前記近距離側に移動された場合とにおける錯乱円の大きさが同じとなる第３の距離に配置された被写体から取得された距離に応じた測距信号を基準値として設定しておき、撮影する際には、この基準値に基づいて撮影レンズの位置を遠距離側または近距離側のいずれかに決定して、撮影レンズの移動を行わせることにより、製造されたカメラごとにばらつきのある、レンズのセット位置を切り換えるための基準値を個別に調整することができ、適切な合焦制御を行うことができるカメラを提供することができる。
【０００８】
また、本発明のカメラは、撮影レンズのうち被写体像を拡大または縮小するために使用されるズームレンズを被写体の拡大率に応じて定められたズーム位置に移動させるズーム手段と、被写体までの距離に応じた測距信号を出力する測距手段と、前記測距手段により出力された測距信号と前記撮影レンズのズーム位置に対応した基準値とを比較した結果に基づいて、前記撮影レンズを遠距離側または近距離側のいずれかの合焦位置に移動させる焦点制御手段と、前記ズーム手段により測距信号の精度が最も要求される第１のズーム位置に前記ズームレンズを移動させて、予め定められた距離に配置された被写体に基づいて複数の測距信号を取得する取得手段と、前記取得手段により取得された測距信号の平均値を算出する算出手段と、前記算出手段により算出された平均値を前記第１のズーム位置に対応する基準値として設定するとともに、他のズーム位置に応じた設計上得られたそれぞれの加算値を前記平均値に加算し、加算して得られた数値を、前記他のズーム位置に対応した基準値として設定する設定手段と、を備え、前記予め定められた距離は、前記第１のズーム位置に前記ズームレンズがあった場合における、前記撮影レンズが遠距離側に移動された場合の錯乱円を最小とする被写体までの第１の距離と前記撮影レンズが近距離側に移動された場合の錯乱円を最小とする被写体までの第２の距離との間の距離であって、前記撮影レンズが前記遠距離側に移動された場合と前記撮影レンズが前記近距離側に移動された場合とにおける錯乱円の大きさが同じとなる第３の距離であり、前記基準値は、前記第３の距離に相当する測距信号に基づいた数値とする、という構成を備えている。
【０００９】
この発明によれば、被写体像を拡大・縮小することのできるズーム手段を有するカメラである場合に、測距信号の精度が最も要求される第１のズーム位置（例えば、拡大率の最も大きいズーム位置）における測距信号に基づいて基準値を算出して設定することにより、全てのズーム位置に対して設定処理を行う必要がなく、簡単に基準値の調整を行うことができるとともに、基準値の調整を正確に行うことができる。
【００１０】
また、本発明のカメラは、撮影レンズのうち被写体像を拡大または縮小するために使用されるズームレンズを被写体の拡大率に応じて定められたズーム位置に移動させるズーム手段と、被写体までの距離に応じた測距信号を出力する測距手段と、前記測距手段により出力された測距信号と前記撮影レンズのズーム位置に対応した基準値とを比較した結果に基づいて、前記撮影レンズを遠距離側または近距離側のいずれかの合焦位置に移動させる焦点制御手段と、前記ズーム手段により測距信号の精度が最も要求される第１のズーム位置に前記ズームレンズを移動させて、予め定められた距離に配置された被写体に基づいて第１の測距信号を複数取得するとともに、前記第１のズーム位置とは別の第２のズーム位置に前記ズームレンズを移動させて、予め定められた距離に配置された被写体に基づいて第２の測距信号を複数取得する取得手段と、前記取得手段により取得された前記第１の測距信号の第１の平均値および前記第２の測距信号の第２の平均値を算出する算出手段と、前記算出手段により算出された第１の平均値を前記第１のズーム位置に対応する基準値として設定するとともに、前記第２の平均値を前記第２のズーム位置に対応する基準値として設定し、前記第１の平均値と前記第２の平均値との間の変化量に基づいて他のズーム位置における設計値上の変化量を算出し、それぞれの変化量を前記第１の平均値に加算して他のズーム位置に対応する基準値を設定する設定手段と、を備え、前記予め定められた距離は、前記ズーム手段によるズーム位置ごとに定められ、前記撮影レンズが遠距離側に移動された場合の錯乱円を最小とする被写体までの第１の距離と前記撮影レンズが近距離側に移動された場合の錯乱円を最小とする被写体までの第２の距離との間の距離であって、前記撮影レンズが前記遠距離側に移動された場合と前記撮影レンズが前記近距離側に移動された場合とにおける錯乱円の大きさが同じとなる第３の距離とし、前記基準値は、前記第３の距離に相当する測距信号に基づいた数値とすること、を備えている。
【００１１】
この発明によれば、測距信号の精度が最も要求される第１のズーム位置（例えば、拡大率の最も大きいズーム位置）における測距信号と、この第1のズーム位置とは別の第2のズーム位置（例えば、拡大率の最も小さいズーム位置）における測距信号を算出して、これら測距信号に基づいて基準値を算出して設定することにより、全てのズーム位置に対して設定処理を行う必要がなく、簡単に基準値の調整を行うことができるとともに、基準値の調整を正確に行うことができる。
【発明の効果】
【００１２】
本発明は、２焦点カメラにおけるレンズのセット位置を切り換えるための基準値を、個別に調整することができ、適切な合焦制御を行うことができるカメラを提供することができる。
【発明を実施するための最良の形態】
【００１３】
本発明は、一実施の形態のために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１４】
図１は、本実施形態に係るカメラ９の斜視図である。図１に示すように、カメラ９は、１３５フィルムフォーマットのパトローネを装填するレンズシャッターカメラである。このカメラ９は、その上端にレリーズボタン９ａが設けられている。カメラ９の前面の中央部には、撮影レンズ８を組み込んだ鏡胴９ｂが取り付けられている。この鏡胴９ｂとしては、例えば焦点距離２８ｍｍ・開放絞りＦ８．０の単焦点レンズおよびシャッターからなるオートフォーカス動作が可能な撮影レンズ鏡胴が用いられる。カメラ９の上部にはファインダ９ｃ、ストロボ発光部９ｄ、ＡＦ投光窓４ａ及びＡＦ受光窓５ａが設けられている。これらＡＦ投光窓４ａおよびＡＦ受光窓５ａを通じて発光し、受光できるようにＩＲＥＤ（赤外線発光ダイオード）４およびＰＳＤ（位置検出素子）５が配置され、これらＩＲＥＤ４及びＰＳＤ５は、例えば三角測量の原理に基づいて被写体までの距離を測定する測距部を構成している。
【００１５】
また、カメラ９には、測光部９ｅが設けられている。測光部９ｅは、撮影視野内の外光輝度を測定する測光手段として機能する。この測光部９ｅは、例えば中央重点平均測光センサとして一つのＳＰＤデバイス（赤外カットフィルタを光路上に内蔵したもの）を備えたものが用いられる。このＳＰＤデバイスは近似的に撮影レンズ光学系の光軸上に向けられている。
【００１６】
カメラ９の内部の撮影レンズ８の光軸上には、シャッター９ｆが組み込まれている。シャッター９ｆは、フィルムに必要な露光量を与える絞りばね兼用セクターを備えて構成されている。
【００１７】
次に、本実施形態のカメラ９の詳細について説明する。図２は、カメラ９のブロック構成図である。
【００１８】
ＣＰＵ１は、カメラ全体を制御するものであり、ＥＥＰＲＯＭ２に予め記憶されているプログラム、パラメータおよび各種管理情報に基づいて、この測距装置を含むカメラ全体を制御する。この図に示す測距装置においては、ＣＰＵ１は、ドライバ３を制御してＩＲＥＤ４からの赤外光の出射を制御し、自動焦点用ＩＣ（以下「ＡＦＩＣ」という。）１０の動作を制御するとともに、ＡＦＩＣ１０から出力されるＡＦ信号を入力する。
【００１９】
ＩＲＥＤ４から出射された赤外光は、ＩＲＥＤ４の前面に配されたＡＦ投光窓４ａを介して測距対象物に投光され、その一部が反射され、そして、その反射光は、ＰＳＤ５の前面に配されたＡＦ受光窓５ａを介してＰＳＤ５の受光面上の何れかの位置で受光される。この受光位置は、測距対象物までの距離に応じたものである。そして、ＰＳＤ５は、その受光位置に応じた２つの信号Ｉ1およびＩ2を出力する。信号Ｉ1は、受光光量が一定であれば距離が近いほど大きな値である近側信号であり、信号Ｉ2は、受光光量が一定であれば距離が遠いほど大きな値である遠側信号であり、信号Ｉ1およびＩ2の和は、ＰＳＤ５が受光した反射光の光量を表し、出力比（Ｉ1／（Ｉ1＋Ｉ2））は、ＰＳＤ５の受光面上の受光位置すなわち測距対象物までの距離を表す。そして、近側信号Ｉ1は、ＡＦＩＣ１０のＰＳＤＮ端子に入力し、遠側信号Ｉ2は、ＡＦＩＣ１０のＰＳＤＦ端子に入力する。ただし、実際には、外界条件により近側信号Ｉ1および遠側信号Ｉ2それぞれに定常光成分Ｉ0が付加された信号がＡＦＩＣ１０に入力される場合がある。
【００２０】
ＡＦＩＣ１０は、集積回路（ＩＣ）であって、第１信号処理回路１１、第２信号処理回路１２、クランプ回路１３、演算回路１４および出力回路１５から構成される。第１信号処理回路１１は、ＰＳＤ５から出力された信号Ｉ1＋Ｉ0を入力し、その信号に含まれる定常光成分Ｉ0を除去して、近側信号Ｉ1を出力するものであり、また、第２信号処理回路１２は、ＰＳＤ５から出力された信号Ｉ2＋Ｉ0を入力し、その信号に含まれる定常光成分Ｉ0を除去して、遠側信号Ｉ2を出力するものである。ＩＲＥＤ４、ＰＳＤ５、およびＡＦＩＣ１０が、測距手段として機能する。
【００２１】
クランプ回路１３は、第２信号処理回路１２から出力された遠側信号Ｉ2を入力し、或る一定レベルのクランプ信号Ｉcおよび遠側信号Ｉ2それぞれのレベルを大小比較し、前者が大きいときにはクランプ信号Ｉcを出力し、そうでないときには遠側信号Ｉ2をそのまま出力する。以下では、このクランプ回路１３から出力される信号をＩ2cで表す。
【００２２】
演算回路１４は、第１信号処理回路１１から出力された近側信号Ｉ1と、クランプ回路１３から出力された信号Ｉ2c（遠側信号Ｉ2およびクランプ信号Ｉcの何れか）とを入力し、出力比（Ｉ1／（Ｉ1＋Ｉ2c））を演算し、その結果を出力する。出力回路１５は、その出力比を入力し、ＡＦＩＣ１０のＣINT 端子に接続された積分コンデンサ６とともに、その出力比を多数回積算し、これによりＳ／Ｎ比の改善を図る。そして、ＣＰＵ１は、その積算された出力比を、ＡＦ信号として受信する。
【００２３】
ＣＰＵ１は、ＡＦＩＣ１０から出力されたＡＦ信号を入力し、基準値より遠側か、近側かを判定し、判定結果を示す信号をレンズ駆動回路７に送出する。レンズ駆動回路７は、その判定結果を示す信号に基づいて撮影レンズ８を合焦動作させる。この撮影レンズ８は、４段階のズームアップ・ズームダウンを可能とする一対のレンズから構成され、２つの焦点位置を持つ。そしてレンズ駆動回路７は、ユーザの操作により撮影レンズを移動させることで４段階のズームアップ・ズームダウンを可能とする。また、被写体までの距離に応じた２焦点による合焦制御を可能とし、撮影レンズ８は２焦点（遠距離側、近距離側）のうち適切な位置に移動可能とする。
【００２４】
このように、ＩＲＥＤ４とＰＳＤ５とから構成される測距部、ＡＦＩＣ１０に基づいて測距信号であるＡＦ信号が出力され、これら測距部およびＡＦＩＣ１０が測距手段として機能する。また、このＡＦ信号に基づいて撮影レンズ８を遠距離側か、近距離側かのいずれかの合焦位置に移動させるかをＣＰＵ１が判断し、その位置にレンズ駆動回路７が撮影レンズ８を移動させ、ＣＰＵ１およびレンズ駆動回路７が焦点制御手段として機能する。また、ユーザの任意の操作によりレンズ駆動回路７が撮影レンズ８を移動させ、ズームアップ・ズームダウンを行うことにより、撮影レンズ８およびレンズ駆動回路７がズーム手段として機能する。また、後述するとおりＣＰＵ１は、撮影レンズ８を遠距離側か近距離側かを切り換える基準となる基準値をＥＥＰＲＯＭ２に設定することができ、ＣＰＵ１は、複数の測距信号を取得する取得手段、測距信号の平均値を算出する算出手段、および平均値に基づいて算出された各基準値をＥＥＰＲＯＭ２に設定する設定手段として機能する。
【００２５】
次に、ＡＦＩＣ１０の第１信号処理回路１１、クランプ回路１３および出力回路１５について、より具体的な回路構成について説明する。図３は、本実施形態に係るカメラの測距装置における第１信号処理回路１１および出力回路１５の回路図である。また、図４は、本実施形態に係るカメラの測距装置におけるクランプ回路１３の回路図である。なお、第２信号処理回路１２も、第１信号処理回路１１と同様の回路構成である。
【００２６】
第１信号処理回路１１は、その回路図が図３に示されており、ＰＳＤ５から出力された定常光成分Ｉ0を含む近側信号Ｉ1を入力し、これに含まれる定常光成分Ｉ0を除去して、近側信号Ｉ1を出力するものである。ＰＳＤ５の近距離側端子から出力される電流（Ｉ1＋Ｉ0）は、ＡＦＩＣ１０のＰＳＤＮ端子を経て、第１信号処理回路１１のオペアンプ２０の−入力端子に入力される。オペアンプ２０の出力端子はトランジスタ２１のベース端子に接続されており、トランジスタ２１のコレクタ端子は、トランジスタ２２のベース端子に接続されている。トランジスタ２２のコレクタ端子には、オペアンプ２３の−入力端子が接続され、このコレクタ端子の電位が演算回路１４に接続されている。さらに、トランジスタ２２のコレクタ端子には圧縮ダイオード２４のカソード端子が、また、オペアンプ２３の＋入力端子には圧縮ダイオード２５のカソード端子がそれぞれ接続されており、これら圧縮ダイオード２４および２５それぞれのアノード端子には第１基準電源２６が接続されている。
【００２７】
また、ＡＦＩＣ１０のＣＨＦ端子には定常光除去コンデンサ２７が外付けされており、この定常光除去コンデンサ２７は、第１信号処理回路１１内の定常光除去用トランジスタ２８のベース端子に接続されている。定常光除去コンデンサ２７とオペアンプ２３はスイッチ２９を介して接続されており、このスイッチ２９のオン／オフはＣＰＵ１により制御される。定常光除去用トランジスタ２８のコレクタ端子はオペアンプ２０の−入力端子に接続されており、トランジスタ２８のエミッタ端子は他端が接地された抵抗３０に接続されている。
【００２８】
クランプ回路１３は、その回路図が図４に示されている。クランプ回路１３の判定用コンパレータ３７の＋入力端子は、第２信号処理回路１２のトランジスタ２２のコレクタ端子に接続されるとともに、スイッチ３８を介して演算回路１４の入力端子に接続されている。一方、判定用コンパレータ３７の−入力端子は、＋入力端子に接続されているトランジスタ２２および圧縮ダイオード２４と同様に、トランジスタ５１のコレクタ端子と圧縮ダイオード５２のカソード端子とに接続されるとともに、スイッチ３９を介して演算回路１４の入力端子に接続されている。
【００２９】
また、トランジスタ５１のベース端子には、定電流源４１が接続されており、これによって所定のクランプレベルが設定されて、所定の大きさの電流がトランジスタ５１のベース端子に入力される。この電流はトランジスタ５１のベース電流となり、その大きさに応じたコレクタ電位が判定用コンパレータ３７の−入力端子に入力される。
【００３０】
また、スイッチ３９には判定用コンパレータ３７の出力端子が接続されており、判定用コンパレータ３７の出力信号が入力される。また、スイッチ３８にはインバータ４０を介して判定用コンパレータ３７の出力端子が接続されており、判定用コンパレータ３７の出力信号が反転されてから入力される。したがって、スイッチ３８および３９は、判定用コンパレータ３７からの出力信号により、一方がオン状態になると、他方がオフ状態となる関係にある。
【００３１】
出力回路１５は、ＡＦＩＣ１０のＣINT端子に外付けされた積分コンデンサ６を備えている。積分コンデンサ６は、スイッチ６０を介して演算回路１４の出力端子に接続され、スイッチ６２を介して定電流源６３に接続され、スイッチ６４を介して接地されている。これらのスイッチ６０、６２及び６４は、ＣＰＵ１からの制御信号により制御される。
【００３２】
以上のように構成されるＡＦＩＣ１０の作用について、図３および図４を参照しながら説明する。ＣＰＵ１は、ＩＲＥＤ４を発光させていないときには、第１信号処理回路１１のスイッチ２９をオン状態にする。このときにＰＳＤ５から出力される定常光成分Ｉ0は、第１信号処理回路１１に入力して、オペアンプ２０ならびにトランジスタ２１および２２から構成される電流増幅器により電流増幅され、圧縮ダイオード２４により対数圧縮されて電圧信号に変換され、この電圧信号がオペアンプ２３の−入力端子に入力する。オペアンプ２０に入力する信号が大きいと、圧縮ダイオードのＶF が大きくなるので、オペアンプ２３から出力される信号が大きく、したがって、コンデンサ２７が充電される。すると、トランジスタ２８にベース電流が供給されることになるので、トランジスタ２８にコレクタ電流が流れ、第１信号処理回路１１に入力した信号Ｉ0のうちオペアンプ２０に入力する信号は小さくなる。そして、この閉ループの動作が安定した状態では、第１信号処理回路１１に入力した信号Ｉ0の全てがトランジスタ２８に流れ、コンデンサ２７には、そのときのベース電流に対応した電荷が蓄えられる。
【００３３】
ＣＰＵ１がＩＲＥＤ４を発光させるとともにスイッチ２９をオフ状態にすると、このときにＰＳＤ５から出力される信号Ｉ1＋Ｉ0のうち定常光成分Ｉ0は、コンデンサ２７に蓄えられた電荷によりベース電位が印加されているトランジスタ２８にコレクタ電流として流れ、近側信号Ｉ1は、オペアンプ２０ならびにトランジスタ２１および２２から構成される電流増幅器により電流増幅され、圧縮ダイオード２４により対数圧縮され電圧信号に変換されて出力される。すなわち、第１信号処理回路１１からは、定常光成分Ｉ0が除去されて近側信号Ｉ1のみが出力され、その近側信号Ｉ1は、演算回路１４に入力する。
【００３４】
一方、第２信号処理回路１２も、第１信号処理回路１１と同様に、定常光成分Ｉ0が除去されて遠側信号Ｉ2のみが出力され、その遠側信号Ｉ2は、クランプ回路１３に入力する。クランプ回路１３に入力した遠側信号Ｉ2は、クランプ回路１３の判定用コンパレータ３７の＋入力端子に入力する。定電流源４１から出力された信号は、トランジスタ５１のベース電流として流れ、これに伴い生じるトランジスタ５１のコレクタ端子の電位（クランプ信号Ｉc）が判定用コンパレータ３７の−入力端子に入力する。近側信号Ｉ2とクランプ信号Ｉcとは、判定用コンパレータ３７により大小比較され、その結果に応じて、スイッチ３８および３９のうち一方がオンされ、他方がオフされる。すなわち、近側信号Ｉ2がクランプ信号Ｉcより大きいときには、スイッチ３８がオン状態となり、スイッチ３９がオフ状態となり、クランプ回路１３の出力信号Ｉ2cとして近側信号Ｉ2が出力される。大小関係が逆の場合には、スイッチ３８がオフ状態となり、スイッチ３９がオン状態となり、クランプ回路１３の出力信号Ｉ2cとしてクランプ信号Ｉcが出力される。
【００３５】
クランプ回路１３から出力された信号Ｉ2cおよび第１信号処理回路１１から出力された近側信号Ｉ1は、演算回路１４に入力され、演算回路１４により出力比（Ｉ1／（Ｉ1＋Ｉ2c））が演算されて出力され、その出力比は、出力回路１５に入力される。ＩＲＥＤ４が所定回数だけパルス発光している時には、出力回路１５のスイッチ６０はオン状態とされ、スイッチ６２及びスイッチ６４はオフ状態とされる。そして、演算回路１４から出力された出力比信号（距離演算値）は積分コンデンサ６に蓄えられ、出力比信号の積分が行われる。すなわち、本実施形態では、出力回路１５、積分コンデンサ６、及びＣＰＵ１によって積分手段が構成されている。このときの積分コンデンサ６の電圧値、つまり積分結果は、上述のようにＡＦ信号（距離データ）としてＣＰＵ１によって読み出される。ＣＰＵ１は、ＡＦＩＣ１０からＡＦ信号を受信すると、このＡＦ信号及びＥＥＰＲＯＭ２に記憶された情報等に基づいて測距対象物までの距離を検出する。
【００３６】
次に、以上のとおりに構成されたカメラ９における、ズームアップ・ズームダウンによる撮影レンズ８のズーム位置、および焦点制御による撮影レンズ８のセット位置について説明する。ローコストタイプの２焦点カメラにおいては、一対の撮影レンズの間隔を変えることにより、ズームアップ・ズームダウン（拡大・縮小）を行うことができる。そして、一対の撮影レンズ８は第１セット点である遠距離側（遠側）と第２セット点である近距離側（近側）とのいずれかにセットされるように構成されている。また、一対の撮影レンズ８の間隔を広げたり、縮めたりすることで、被写体像の拡大・縮小を行うことができる。図５は、撮影レンズ８のズーム位置およびセット位置の具体例を示す説明図である。
【００３７】
図５（ａ）は、被写体に対して拡大することなく標準で撮影する場合であって、被写体までの距離が所定距離以内の場合における撮影レンズ８同士の間隔（Ｚ１位置）およびセット位置を示す図である。一対の撮影レンズ８におけるレンズ８ａとレンズ８ｂとの間隔は離れた状態であり、撮影レンズ８のセット位置は近距離側（被写体に対して近い側、つまり近側）にセットされている。なお、撮影レンズ８および光軸８ｃを通してフィルム面８ｄに被写体の画像を映しこむことができる。以下、図５において同じである。
【００３８】
図５（ｂ）は、被写体に対して拡大することなく標準で撮影する場合であって、被写体までの距離が所定距離以上の場合における撮影レンズ８同士の間隔（Ｚ１位置）およびセット位置を示す図である。図５（ａ）のレンズ位置と比べて、一対の撮影レンズ８におけるレンズ８ａと８ｂとの間隔は同じであるが、一対の撮影レンズ８は遠距離側（被写体に対して遠い側、つまり遠側）にセットされている。
【００３９】
図５（ｃ）は、標準状態より１段階拡大して被写体を撮影する場合であって、被写体までの距離が所定距離以内にいる場合における撮影レンズ８同士の間隔（Ｚ２位置）およびセット位置を示す図である。一対の撮影レンズ８における互いの間隔は図５（ａ）で示すレンズ８ａとレンズ８ｂとの間隔より小さくなった状態であり、撮影レンズ８のセット位置は近距離側にセットされている。
【００４０】
図５（ｄ）は、標準状態より１段階拡大して被写体を撮影する場合であって、被写体までの距離が所定距離以上離れている場合における撮影レンズ８同士の間隔（Ｚ２位置）およびセット位置を示す図である。図５（ｃ）の撮影レンズ８の位置と比べて、一対の撮影レンズ８におけるレンズ８ａと８ｂとの間隔は同じであるが、一対の撮影レンズ８は遠距離側にセットされている。
【００４１】
図５（ｅ）は、図５（ｃ）で示す拡大率より１段階さらに拡大して被写体を撮影する場合であって、被写体までの距離が所定距離以内にいる場合における撮影レンズ８同士の間隔（Ｚ３位置）およびセット位置を示す図である。一対の撮影レンズ８における互いの間隔は図５（ｃ）で示すレンズ８ａとレンズ８ｂとの間隔よりさらに小さくなった状態であり、撮影レンズ８のセット位置は近距離側にセットされている。
【００４２】
図５（ｆ）は、図５（ｃ）で示す拡大率より１段階さらに拡大して被写体を撮影する場合であって、被写体までの距離が所定距離以上離れている場合における撮影レンズ８同士の間隔（Ｚ３位置）およびセット位置を示す図である。図５（ｅ）のレンズ位置と比べて、一対の撮影レンズ８におけるレンズ８ａと８ｂとの間隔は同じであるが、一対の撮影レンズ８は遠距離側にセットされている。
【００４３】
図５（ｇ）は、図５（ｅ）で示す拡大率より１段階さらに拡大して被写体を撮影する場合であって、被写体までの距離が所定距離以内にいる場合における撮影レンズ８同士の間隔（Ｚ４位置）およびセット位置を示す図である。一対の撮影レンズ８における互いの間隔は図５（ｅ）で示すレンズ８ａとレンズ８ｂとの間隔よりさらに小さくなった状態であり、レンズのセット位置は近距離側にセットされている。
【００４４】
図５（ｈ）は、図５（ｅ）で示す拡大率より１段階さらに拡大して被写体を撮影する場合であって、被写体までの距離が所定距離以上離れている場合における撮影レンズ８同士の間隔（Ｚ４位置）およびセット位置を示す図である。図５（ｇ）の撮影レンズ８の位置と比べて、一対の撮影レンズ８におけるレンズ８ａと８ｂとの間隔は同じであるが、一対の撮影レンズ８は遠距離側にセットされている。
【００４５】
以上のように構成された２焦点カメラにおいては、被写体までの距離が予め定めた所定距離以上であるか、以下であるかを基準にして、一対の撮影レンズ８を遠距離側と近距離側とのいずれかに選択的に切り換えて位置させることができる。
【００４６】
ここで、撮影レンズ８のレンズ位置と被写体までの距離と錯乱円との関係について説明する。まず、錯乱円について説明する。測距装置を使ってレンズのピント合わせを行う場合、通常、レンズはリニアに移動せず、ピントのずれの許容範囲内において段階的に移動することになる。このようなカメラで、“点”を撮影した場合、レンズのピントが合っている状態であれば、そのまま“点”がフィルム面で形成される。また、ピントが許容範囲内での多少のずれをもって、撮影された“点”は、フィルム上にぼやけた状態で形成されることになる。このように、ぼやけた状態で形成されたものを、錯乱円という。図１５にその具体例を示す。図１５に示す例では、段階的に移動されたレンズの位置で撮影された点は、フィルム面では錯乱円径を形成してぼやけた状態で形成されることになる。このぼやけた状態は、通常許容範囲にあるものであり、写真を視認する上ではほとんど問題となることはない。
【００４７】
次に、この錯乱円と撮影レンズ８の位置との関係について説明する。図６は、一対の撮影レンズ８がＺ４位置に位置したときにおけるＡＦ線図である。なお、ＡＦ線図は、縦軸は錯乱円の大きさを、横軸は被写体までの距離を示す。そして、撮影レンズ８が遠距離側である第１セット点または近距離側である第２セット点に位置した場合で、横軸で示す距離に位置する被写体に対して撮影した場合に、錯乱円がどれぐらい大きなものであるかが線グラフをもって示された説明図である。
【００４８】
図６では、第１セット点として７７６９ｍｍの地点が、第２セット点として１７５０ｍｍの地点が規定されている。この第１セット点は、被写体が７７６９ｍｍの地点にいる場合、錯乱円が最小となる撮影レンズ８の位置である。また、第２セット点は、被写体が１７５０ｍｍの地点にいる場合、錯乱円が最小となる撮影レンズ８の位置である。
【００４９】
そして、図６における第１セット点から近距離側に伸びている線グラフは、第１セット点に撮影レンズ８が位置する場合、被写体までの実際の距離が７７６９ｍｍより近くなればなるほど、錯乱円は大きくなることを示している。また、同様に、第１セット点から遠距離側に伸びている線グラフは、第１セット点に撮影レンズ８が位置する場合、被写体までの実際の距離が７７６９ｍｍより遠くなればなるほど、錯乱円は大きくなることを示している。第２セット点に撮影レンズ８が位置する場合も同様に、被写体までの距離が１７５０ｍｍを境に、錯乱円は大きくなることを示している。
【００５０】
そして、第１セット点から近距離側に伸びている線グラフと第２セット点から遠距離側に伸びている線グラフとが交差している点が、第１セット点および第２セット点にそれぞれ撮影レンズ８がそれぞれ配置された場合における、錯乱円の大きさを同じとなる距離を示している。この距離で示される切替点を境にして、第１セット点または第２セット点に撮影レンズ８を選択的に移動させるように制御することにより、錯乱円の大きさをなるべく小さくすることができる。
【００５１】
同様に、他のズーム位置（Ｚ１〜Ｚ３位置）におけるＡＦ線図について説明する。図７〜図９は、撮影レンズ８の各ズーム位置におけるＡＦ線図である。図７は、図６に示したズーム位置より１段階被写体を縮小することのできるズーム位置に、撮影レンズ８を移動させた場合のＡＦ線図である。図７においては、第１セット点を６１８１ｍｍ、第２セット点を１６５０ｍｍ、切替点を２５８６ｍｍに設定している。図８は、図７に示したズーム位置よりさらに１段階被写体を縮小することのできるズーム位置に、撮影レンズ８を移動させた場合のＡＦ線図である。図８においては、第１セット点を４８０３ｍｍ、第２セット点を１５３２ｍｍ、切替点を２３１１ｍｍに設定している。図９は、撮影レンズ８を標準のレンズ位置に移動した場合（ＷＩＤＥ側）のＡＦ線図である。図９においては、第１セット点を３４１１ｍｍ、第２セット点を１００１ｍｍ、切替点を１５３８ｍｍに設定している。
【００５２】
本実施形態に係るカメラ９は、上述したＡＦ線図に基づいて、切替点で示された距離に対応するＡＦ信号を予め決めておき、決められたＡＦ信号に基づいて、撮影レンズ８を適切な位置に移動させる制御を行っている。その具体的な動作について説明する。図１０は、撮影レンズ８に対する移動制御を示すフローチャートである。このフローチャートはＣＰＵ１により処理されている。なお、図１０において、「Ｚ位置」とは撮影レンズ８の位置を示したものとする。また、カメラ９の操作部（図示せず）が操作されることにより、カメラ９は予め撮影モードにセットされているものとする。
【００５３】
まず、撮影時に、測距部（ＩＲＥＤ４、ＰＳＤ５、およびＡＦＩＣ１０）により測距がなされ、上述したとおりＡＦＩＣ１０内で近側信号Ｉ１および遠側信号Ｉ２の信号比に基づいて生成されたＡＦ信号が取得される（Ｓ１０１）。撮影レンズ８がＺ１位置に位置する場合（Ｓ１０２）、予め定められているＣＯＵＮＴ＿Ｄで示す数値が遠近判定閾値として設定される（Ｓ１０３）。なお、ここでのＣＯＵＮＴ＿Ｄは、図９に示す切替点（被写体までの距離が１５３８ｍｍ）に対応するＡＦ信号である。このＡＦ信号の値は、ＥＥＰＲＯＭ２に記憶され予め定められている値であり、後述する処理により調整されることのできるＡＦ信号である。
【００５４】
また、撮影レンズ８がＺ２位置に位置する場合（Ｓ１０４）、ＥＥＰＲＯＭ２に記憶され予め定められているＣＯＵＮＴ＿Ｃで示す数値が遠近判定閾値として設定される（Ｓ１０５）。上述と同様に、ここでのＣＯＵＮＴ＿Ｃは、図８で示す切替点（被写体までの距離が２３１１ｍｍ）に対応するＡＦ信号である。このＡＦ信号の値は、ＥＥＰＲＯＭ２に記憶され予め定められている値であり、後述する処理により調整されることのできるＡＦ信号である。
【００５５】
また、撮影レンズ８がＺ３位置に位置する場合（Ｓ１０６）、予め定められているＣＯＵＮＴ＿Ｂで示す数値が遠近判定閾値として設定される（Ｓ１０７）。上述と同様に、ＣＯＵＮＴ＿Ｂは、図７で示す切替点（被写体までの距離が２５８６ｍｍ）に対応するＡＦ信号である。このＡＦ信号の値は、ＥＥＰＲＯＭ２に記憶され予め定められている値であり、後述する処理により調整されることのできるＡＦ信号である。
【００５６】
また、撮影レンズ８がＺ４位置に位置する場合は、ＣＯＵＮＴ＿Ａで示す数値が遠近判定閾値として設定される（Ｓ１０８）。上述と同様に、ＣＯＵＮＴ＿Ａは、図６で示す切替点（被写体までの距離が２８３０ｍｍ）に対応するＡＦ信号である。このＡＦ信号の値は、ＥＥＰＲＯＭ２に記憶され予め定められている値であり、後述する処理により調整されることのできるものである。
【００５７】
そして、Ｓ１０１で取得したＡＦ信号が、Ｓ１０３〜Ｓ１０８のいずれかの処理により設定された遠近判定閾値と比較して、遠近判定閾値以下であると判断される場合（Ｓ１０９）、撮影レンズ８が繰り出され、遠距離側の第１セット点に移動される（Ｓ１１０）。またＡＦ信号が遠近判定閾値より大であると判断される場合（Ｓ１０９）、撮影レンズ８が繰り出され、近距離側の第２セット点に移動される（Ｓ１１１）。
【００５８】
ここで、図６を参照しながら、より具体的なその動作を説明する。図６は、撮影レンズ８がＺ４位置に位置する場合のＡＦ線図である。上述したとおり、取得されたＡＦ信号に基づいて、測距部（ＩＲＥＤ４およびＰＳＤ５）により測定された被写体までの距離が２８３０ｍｍより近いと判断されるときには、つまり、ＡＦ信号＞遠近判定閾値の場合は、第２セット点に撮影レンズ８を移動させる。また、測距部により測定された被写体までの距離が２８３０ｍｍ以上のときには、つまり、ＡＦ信号≦遠近判定閾値の場合は、第１セット点に撮影レンズ８を移動させる。
【００５９】
以上のとおり、２焦点カメラにおいて、撮影レンズ８のズーム位置に応じて定められた遠距離側若しくは近距離側のいずれかのセット点に撮影レンズ８を移動させることにより、錯乱円をなるべく小さくした焦点制御を行うことができる。
【００６０】
ここで、遠近判定閾値に設定されるＣＯＵＮＴ＿Ａ〜ＣＯＵＮＴ＿Ｄを、調整することができる。これは、カメラごとのばらつきがあり、カメラごとに適正な遠近判定閾値を調整することが必要であるためである。つまり、測距部により測定される被写体までの距離は、ＡＦ信号に基づいたものである。被写体までの距離に対応したＡＦ信号は、上述ＰＳＤ５、上述第１信号処理回路１１、および第２信号処理回路１２の個別の特性により、微妙に変わるものである。よって、カメラによっては同じＡＦ信号で示される数値であっても、その距離は異なる場合があることから、ＡＦ信号と被写体までの距離との対応の調整を行う必要がある。以下、その調整方法について説明する。
【００６１】
まず、各ズーム位置における切替点に相当するＡＦ信号の設計値について説明する。図１１は、各切替点におけるＡＦ信号の設計値を示す説明図であり、縦軸はＡＦ信号、横軸は距離の逆数である。図１１から分かるように、この切替点におけるＡＦ信号の設計値は、被写体までの距離が近いほど、大きくなる特性を有している。
【００６２】
切替点におけるＡＦ信号の設計値の特性において、撮影レンズ８のズーム位置がＺ４で示されるＺ４位置にある場合、その切替点におけるＡＦ信号はＺ４値である。また、撮影レンズ８のズーム位置がＺ３で示されるＺ３位置にある場合、その切替点におけるＡＦ信号はＺ３値である。また、撮影レンズ８のズーム位置がＺ２で示されるＺ２位置にある場合、その切替点におけるＡＦ信号はＺ２値である。また、撮影レンズ８のズーム位置がＺ１で示されるＺ１位置にある場合、その切替点におけるＡＦ信号はＺ１値である。
【００６３】
ここで、設計値における各ズーム位置のＡＦ信号同士の差は設計値により定まった値である。例えば、Ｚ４位置を基準にすると、Ｚ１位置におけるＡＦ信号の差は、Ｚ１値−Ｚ４値＝ΔＤであり、Ｚ２位置における差は、Ｚ２値−Ｚ４値＝ΔＣであり、Ｚ３位置における差は、Ｚ３値−Ｚ４値＝ΔＢである。よって、いずれかのＺ１位置〜Ｚ４位置におけるＡＦ信号を特定することができれば、特定したズーム位置を基準にして他のズーム位置におけるＡＦ信号を算出することができる。
【００６４】
図１２は、ズーム位置と遠近判定閾値との対応を示す説明図である。ここではカメラ９の撮影レンズ８をＺ４位置に位置させ、カメラ９から２８３０ｍｍ（切替点）の地点にテストチャートを配置する。そして、配置されたテストチャートを撮影したときに取得したＡＦ信号を基準に、他のズーム位置であるＺ１〜Ｚ３位置の遠近判定閾値であるＡＦ信号を求めることを図１２は示している。つまり、Ｚ４位置における遠近判定閾値として取得したＡＦ信号であるＣＯＵＮＴ＿Ａを設定し、Ｚ３位置における遠近判定閾値としてＣＯＵＮＴ＿Ａ＋ΔＢを設定し、Ｚ２位置における遠近判定閾値としてＣＯＵＮＴ＿Ａ＋ΔＣを設定し、Ｚ１位置における遠近判定閾値としてＣＯＵＮＴ＿Ａ＋ΔＤを設定している。このようにＺ４位置におけるＡＦ信号に基づいて他のズーム位置の遠近判定閾値を調整することで、簡単に正確な遠近判定閾値を取得することができる。
【００６５】
次に、より具体的な取得動作について説明する。撮影レンズ８をＺ４位置させ、このＺ４位置を基準にした場合の、他のズーム位置であるＺ１〜Ｚ３位置における遠近判定閾値を算出するときの動作を説明する。図１３は、Ｚ４位置を基準にした場合の、Ｚ１〜Ｚ３位置における遠近判定閾値を算出するときの動作を示すフローチャートである。このフローチャートはＣＰＵ１により処理され、製造工程においてＡＦ基準値の調整モードの操作が行われたときに処理されるものである。ＣＰＵ１は基準値を設定するための取得手段、算出手段、および設定手段として機能する。
【００６６】
まず、ＩＲＥＤ４が被写体に対して投光することにより被写体までの測距が行われ、上述したとおりＡＦＩＣ１０内で近側信号Ｉ１および遠側信号Ｉ２の信号比に基づいて生成されたＡＦ信号が取得される（Ｓ２０１）。具体的には、予め定められた距離に被写体（テストチャート）が配置され、その被写体に対して投光し、その反射光をＰＳＤ５により取得されることにより距離に応じて定められ、上述信号比に基づいたＡＦ信号が取得される。本実施形態では、Ｚ４位置に撮影レンズ８を移動させた状態で、被写体（テストチャート）をカメラ９から２８３０ｍｍの地点に配置することにより、測距処理が実行され、ＡＦ信号が取得される。
【００６７】
次に、予め定められた測定回数から１を減じて、（測定回数Ｎ−１）が算出される（Ｓ２０２）。そして、Ｘ＝（Ｘ＋取得されたＡＦ信号）が算出される（Ｓ２０３）。なお、初期値としてＸ＝０としている。そして、測定回数Ｎ＝０となるまでこれを繰り返し（Ｓ２０４）、複数回ＡＦ信号を取得し累積的に加算していく。
【００６８】
次に、取得したＡＦ信号の平均値が算出される（Ｓ２０５）。具体的には、累積的に算出されたＡＦ信号が測定回数Ｎで除算され、平均値が算出される。そして、算出された平均値が予め定められたマックス値以下であり（Ｓ２０６）、ミニマム値以上である場合に（Ｓ２０７）、その算出した平均値はＺ４位置の切替点における基準値（Ｅ＿ＣＯＵＮＴ＿Ａ）とされる（Ｓ２０８）。そして、この基準値に基づいて図１２で示される遠近判定閾値が算出され、それぞれ算出される。つまり、Ｅ＿ＣＯＵＮＴ＿Ｂとして、（ＣＯＵＮＴ＿Ａ＋ΔＢ）が設定され、（Ｓ２０９）、Ｅ＿ＣＯＵＮＴ＿Ｃとして、（ＣＯＵＮＴ＿Ａ＋ΔＣ）が設定され、（Ｓ２１０）、Ｅ＿ＣＯＵＮＴ＿Ｄとして、（ＣＯＵＮＴ＿Ａ＋ΔＤ）が設定される（Ｓ２１１）。そして、これらＥ＿ＣＯＵＮＴ＿Ａ〜Ｅ＿ＣＯＵＮＴ＿ＤはＥＥＰＲＯＭ２に設定され、この設定が終了すると、調整が完了したことを示す表示が表示部（図示せず）になされ、調整が完了する（Ｓ２１２）。Ｓ２０６およびＳ２０７において、算出した平均値がマックス値より大であり、またミニマム値より小である場合、つまり極端に数値が大きすぎたり、小さすぎたりして、処理にエラーあると思われる場合、調整ＮＧの表示を液晶ディスプレイ（図示せず）に行う（Ｓ２１３）。
【００６９】
次に、図１２に対する変形例について説明する。図１４は、図１２で示した、ズーム位置と遠近判定閾値との対応に対する変形例を示す説明図である。ここでは、まずカメラ９の撮影レンズ８をＺ４位置に位置させ、カメラ９から２８３０ｍｍ（切替距離）の地点にテストチャートを配置する。そして、配置されたテストチャートに対して複数回測距し、複数のＡＦ信号を取得して、その平均値を算出する。また、同様に撮影レンズ８をＺ１位置に配置させ、カメラ９から１５３８ｍｍの地点にテストチャートを配置した状態で複数回測距して複数のＡＦ信号を取得して、その平均値を算出する。そして、これら取得したＡＦ信号に基づいて、他のズーム位置であるＺ２位置およびＺ３位置の遠近判定閾値であるＡＦ信号を求めることを図１４は示している。
【００７０】
具体的には、Ｚ４位置の遠近判定閾値として取得したＡＦ信号をＣＯＵＮＴ＿Ａに設定する。また、Ｚ１位置の遠近判定閾値として取得したＡＦ信号をＣＯＵＮＴ＿Ｄに設定する。そして、Ｚ２位置の遠近判定閾値としてＣＯＵＮＴ＿Ａ＋（ＣＯＵＮＴ＿Ｄ−ＣＯＵＮＴ＿Ａ）×ΔＢ÷ΔＤを設定し、Ｚ３位置の遠近判定閾値としてＣＯＵＮＴ＿Ａ＋（ＣＯＵＮＴ＿Ｄ−ＣＯＵＮＴ＿Ａ）×ΔＣ÷ΔＤを設定する。このように、Ｚ１位置およびＺ４位置の２つの切替点におけるＡＦ信号を用いてＺ２位置およびＺ３位置の遠近判定閾値を算出するようにしたことにより、より正確な遠近判定閾値を算出することができる。
【００７１】
次に、本実施形態のカメラの作用効果について説明する。このカメラ９によれば、操作部（図示せず）により基準値の調整モードに設定された場合であって、切替点に相当する距離に配置されたテストチャートに基づいてテストチャートまでの距離に応じた測距信号であるＡＦ信号を取得し、このＡＦ信号を基準値として設定する。そして、撮影する際には、この基準値に基づいて撮影レンズ８の位置を遠距離側または近距離側のいずれかに決定して、撮影レンズ８の移動を行わせることにより、製造されたカメラごとにばらつきのある、レンズのセット位置を切り換えるための基準値を個別に調整することができ、焦点精度のよいカメラを提供することができる。
【００７２】
また、ＡＦ信号の精度が最も要求されるズーム位置（例えば、Ｚ４位置）におけるＡＦ信号に基づいて基準値を算出して、このＺ４位置の基準値とＡＦ信号と距離との関係を示す設計値とに基づいて他のズーム位置における基準値を算出して設定することにより、全てのズーム位置に対して設定処理を行う必要がなく、簡単に基準値の調整を行うことができるとともに、基準値の調整を正確に行うことができる。
【００７３】
また、精度が最も要求されるズーム位置（例えば、Ｚ４位置）におけるＡＦ信号と、こののズーム位置とは別のズーム位置（例えば、Ｚ１位置）におけるＡＦ信号を算出して、これらＡＦ信号をそれぞれのズーム位置における基準値とし、これらＡＦ信号およびＡＦ信号と距離との関係を示す設計値に基づいて、他のズーム位置における基準値を算出して設定することにより、全てのズーム位置に対して設定処理を行う必要がなく、簡単に基準値の調整を行うことができるとともに、基準値の調整を正確に行うことができる。
【図面の簡単な説明】
【００７４】
【図１】本実施形態に係るカメラの斜視図である。
【図２】本実施形態のカメラのブロック構成図である。
【図３】本実施形態に係るカメラの測距装置における第１信号処理回路１１および出力回路１５の回路図である。
【図４】本実施形態に係るカメラの測距装置におけるクランプ回路１３の回路図である。
【図５】撮影レンズ８のズーム位置およびセット位置の具体例を示す説明図である。
【図６】撮影レンズ８がＺ４位置に位置したときにおけるＡＦ線図である。
【図７】撮影レンズ８がＺ３位置に位置したときにおけるＡＦ線図である。
【図８】撮影レンズ８がＺ２位置に位置したときにおけるＡＦ線図である。
【図９】撮影レンズ８がＺ１位置に位置したときにおけるＡＦ線図である。
【図１０】撮影レンズ８に対する移動制御を示すフローチャートである。
【図１１】各切替点におけるＡＦ信号の設計値を示す説明図である。
【図１２】ズーム位置と遠近判定閾値との対応を示す説明図である。
【図１３】Ｚ４位置を基準にした場合の、Ｚ１〜Ｚ３位置における遠近判定閾値を算出するときの動作を示すフローチャートである。
【図１４】ズーム位置と遠近判定閾値との対応における変形例を示す説明図である。
【図１５】錯乱円が生じる原理を示す説明図である。
【符号の説明】
【００７５】
１…ＣＰＵ、２…ＥＥＰＲＯＭ、３…ドライバ、４…ＩＲＥＤ、４ａ…ＡＦ投光窓、５…ＰＳＤ、５ａ…ＡＦ受光窓、６…積分コンデンサ、７…レンズ駆動回路、８…撮影レンズ、８ａ…レンズ、８ｂ…レンズ、８ｃ…光軸、８ｄ…フィルム面、９…カメラ、９ａ…レリーズボタン、９ｂ…鏡胴、９ｃ…ファインダ、９ｄ…ストロボ発光部、９ｅ…測光部、９ｆ…シャッター、１１…第１信号処理回路、１２…第２信号処理回路、１３…クランプ回路、１４…演算回路、１５…出力回路、２０…オペアンプ、２１…トランジスタ、２２…トランジスタ、２３…オペアンプ、２４…圧縮ダイオード、２５…圧縮ダイオード、２６…基準電源、２７…コンデンサ、２７…定常光除去コンデンサ、２８…トランジスタ、２８…定常光除去用トランジスタ、２９…スイッチ、３０…抵抗、３７…判定用コンパレータ、３８…スイッチ、３９…スイッチ、４０…インバータ、４１…定電流源、５１…トランジスタ、５２…圧縮ダイオード、６０…スイッチ、６２…スイッチ、６３…定電流源、６４…オペアンプ、６５…スイッチ。
【図１】
2006106044.tif 000003
【図２】
2006106044.tif 000004
【図３】
2006106044.tif 000005
【図４】
2006106044.tif 000006
【図５】
2006106044.tif 000007
【図６】
2006106044.tif 000008
【図７】
2006106044.tif 000009
【図８】
2006106044.tif 000010
【図９】
2006106044.tif 000011
【図１０】
2006106044.tif 000012
【図１１】
2006106044.tif 000013
【図１２】
2006106044.tif 000014
【図１３】
2006106044.tif 000015
【図１４】
2006106044.tif 000016
【図１５】
2006106044.tif 000017